(57)【要約】【課題】簡易な構成でありながら、ユーザが所望するタイミングから映像の録画を可能とし、さらに録画された映像のスムーズな再生も可能とするディジタル放送受信装置及びディジタル放送受信装置の制御方法を提供する。【解決手段】ディジタル放送受信テレビ１００は、ＨＤＤレコーダ２００の録画開始遅延時間Ｔｒを計測する遅延計測部１７を有する。番組の録画時は、ディジタル放送受信テレビ１００の一時記憶メモリ１５に番組映像の蓄積を開始するとともに、ＨＤＤレコーダ２００に対して録画開始コマンドを発行する。録画開始コマンドの発行から時間Ｔｒが経過した時点で、一時記憶メモリ１５への蓄積を停止する。【選択図】図１
2008227938.tif 000002
【特許請求の範囲】
【請求項１】
ディジタル放送が受信可能な外部記憶装置と接続され、当該外部記憶装置での録画動作を制御することが可能なディジタル放送受信装置であって、
ディジタル放送を受信する受信手段と、
前記受信手段で受信したディジタル放送から得られた映像データを録画する記録手段と、
前記外部記憶装置に対して録画を指示してから前記外部記憶装置で録画が開始されるまでの遅延時間を計測する計測手段と、
前記記録手段と前記外部記憶装置のそれぞれに対して、同一の映像データの録画を指示する制御手段と、を有し、
前記制御手段は、前記記録手段に録画を指示するとともに、前記外部記憶装置に対して録画を指示してから前記遅延時間が経過した時点で、前記記録手段での録画を停止する制御を実行することを特徴とするディジタル放送受信装置。
【請求項２】
前記計測手段は、前記外部記憶装置で録画された映像データの先頭フレームに対応するタイムスタンプ情報を用いて、前記遅延時間を計測することを特徴とする請求項１記載のディジタル放送受信装置。
【請求項３】
映像データを記録可能な外部記憶装置と接続され、当該外部記憶装置での再生動作を制御することが可能なディジタル放送受信装置であって、
ディジタル放送を受信する受信手段と、
前記受信手段で受信したディジタル放送から得られた映像データを録画する記録手段と、
前記記録手段で録画する前記映像データを前記外部記憶装置でも録画する指示を行うとともに、前記記録手段と前記外部記憶装置に対して録画した映像データの再生指示を行う制御手段と、
前記外部記憶装置に対して映像データの再生を指示してから、前記外部記憶装置で再生された映像データが表示部に表示可能になるまでの遅延時間を計測する計測手段と、を有し、
前記制御手段は、前記記録手段に録画された映像データの再生指示を行うとともに、前記遅延時間が経過した時点で、前記外部記憶装置に対して前記映像データの再生を指示する制御を実行することを特徴とするディジタル放送受信装置。
【請求項４】
前記計測手段は、前記制御手段が、前記外部記憶装置に対して、前記外部記憶装置に録画された映像データの再生を指示した時刻情報と、当該映像データが前記外部記憶装置から送信されて、前記表示部に表示可能となる時刻情報とから、前記遅延時間を計測することを特徴とする請求項３記載のディジタル放送受信装置。
【請求項５】
ディジタル放送が受信可能な外部記憶装置と接続され、当該外部記憶装置での録画動作を制御することが可能なディジタル放送受信装置の制御方法であって、
ディジタル放送を受信する受信ステップと、
前記受信ステップで受信したディジタル放送から得られた映像データを、前記ディジタル放送受信装置に設けられた記録部に録画する記録ステップと、
前記外部記憶装置に対して録画を指示してから前記外部記憶装置で録画が開始されるまでの遅延時間を計測する計測ステップと、
前記記録部及び前記外部記憶装置のそれぞれに対して、同一の映像データの録画を指示する制御ステップと、を有し、
前記制御ステップでは、前記記録部に録画するよう前記記録ステップを制御するとともに、前記外部記憶装置に対して録画を指示してから前記遅延時間が経過した時点で、前記記録部での録画を停止するよう前記記録ステップを制御することを特徴とするディジタル放送受信装置の制御方法。
【請求項６】
前記計測ステップでは、前記外部記憶装置で録画された映像データの先頭フレームに対応するタイムスタンプ情報を用いて、前記遅延時間を計測することを特徴とする請求項５記載のディジタル放送受信装置の制御方法。
【請求項７】
映像データを記録可能な外部記憶装置と接続され、当該外部記憶装置での再生動作を制御することが可能なディジタル放送受信装置の制御方法であって、
ディジタル放送を受信する受信ステップと、
前記受信ステップで受信したディジタル放送から得られた映像データを、前記ディジタル放送受信装置に設けられた記録部に録画する記録ステップと、
前記記録部に録画する前記映像データを前記外部記憶装置でも録画する指示を行うとともに、前記記録部及び前記外部記憶装置に対して録画した映像データの再生指示を行う制御ステップと、
前記外部記憶装置に対して映像データの再生を指示してから、前記外部記憶装置で再生された映像データが表示部に表示可能になるまでの遅延時間を計測する計測ステップと、を有し、
前記制御ステップでは、前記記録部に録画された映像データの再生指示を行うとともに、前記遅延時間が経過した時点で、前記外部記憶装置に対して前記映像データの再生を指示する制御を実行することを特徴とするディジタル放送受信装置の制御方法。
【請求項８】
前記計測ステップでは、前記制御ステップにおいて、前記外部記憶装置に対して、前記外部記憶装置に録画された映像データの再生を指示した時刻情報と、当該映像データが前記外部記憶装置から送信されて、前記表示部に表示可能となる時刻情報とから、前記遅延時間を計測することを特徴とする請求項７記載のディジタル放送受信装置の制御方法。
【発明の詳細な説明】
【技術分野】
【０００１】
本発明は、ディジタル放送受信装置及びその制御方法に関する。
【背景技術】
【０００２】
近年、ＨＤＤレコーダとディジタルテレビをＨＤＭＩ（High Definition Multimedia Interface）ケーブルを使用して接続し、ＨＤＤレコーダで番組録画を行い、録画した番組をＨＤＭＩケーブル経由でディジタルテレビに伝送する技術が定着している。
【０００３】
ディジタルテレビとＨＤＤレコーダをケーブル接続し、ＨＤＤレコーダで録画を行う場合、ＨＤＤレコーダの電源がオフの状態（いわゆる待機状態）からＨＤＤレコーダの電源を入れて録画を開始する場合、以下の問題があった。
【０００４】
即ち、ＨＤＤレコーダの録画準備が完了するまで通常２０秒から６０秒程度の時間がかかってしまい、ユーザが録画を所望してもその場面からの録画ができないという問題があった。
【０００５】
その解決技術として、待機時にすべての機能の電源をオフせず、一部の電源オフに留め、常に録画ができる状態にしておくレコーダが商品化されている。
【０００６】
一方、従来技術として、主記憶装置への録画が可能になるまでの間、一時記憶媒体へ一時的に番組を録画し、主記憶装置の録画準備完了後に、主記憶装置への録画を開始する技術がある。この技術を用いることにより、主記憶装置による録画が可能となるまでの映像データを一時記憶媒体に録画することで、ユーザが録画を所望した時点の映像データから録画することができる。
【０００７】
例えば、従来技術として、一時記憶用メモリを用いてテープレコーダの回転ヘッドにテープが接触して録画待機状態になるまで、入力映像信号を一時記憶用メモリに録画するよう制御するものがある（特許文献１参照）。
【０００８】
また、別の従来技術として、２つの記録再生装置に記録媒体とバッファメモリをそれぞれ設け、記録媒体とバッファメモリを利用してデータを保持し、かつ再生時にはシームレスな再生を実現するものがある（特許文献２参照）。
【０００９】
特許文献２に記載の技術では、２つの記録機器Ａ、ＢをＩＥＥＥ１３９４などのケーブルで接続し、記録機器Ａが録画を開始する。記録機器Ａに内蔵されたＨＤＤなどの記録媒体へ録画中に記録可能容量が所定値に達した場合、並行して記録機器Ｂのバッファメモリにも録画を開始する。記録機器Ａの記録媒体への記録が終了した後、Ｂのバッファメモリに蓄積されている録画データを記録機器Ｂのバッファメモリとは別の記録媒体に転送する。
【特許文献１】特開平０６−１０５２８１号公報
【特許文献２】特開２００２−２９８５０１号公報
【発明の開示】
【発明が解決しようとする課題】
【００１０】
ここで、主記憶装置への録画が可能になるまでの間、一時記憶媒体へ一時的に記憶し、主記憶装置での録画が可能になった後に、主記憶装置への録画を開始する技術を考える。つまり、特許文献１における一時記憶媒体をテレビに実装し、外部記憶装置での録画が可能になるまで、一時記憶媒体にて録画を行う技術を考える。
【００１１】
特許文献１に代表される従来技術では、外部記憶装置が待機中の場合、テレビを見ていたユーザが、すぐに録画したいシーンがあったとしても、外部記憶装置の電源を入れ、録画したい番組のチャンネルを設定し、録画を開始するという一連の動作が必要となる。そのため、ユーザは一時記憶媒体への録画指示とともに外部記憶装置に対する録画操作も必要となり、操作性はよくない。
【００１２】
さらに、録画される映像はディジタルテレビの一時記憶媒体と、外部記憶装置としてのＨＤＤレコーダにそれぞれ存在することになる。従って、この映像を再生する時には２つに分割録画された映像に対して同期を取る必要がある。
【００１３】
特許文献２では、この同期を取るために機器双方に、ある程度のサイズの内蔵バッファを用意し、その内蔵バッファを利用して、２つの録画機器間での録画データの同期とスムーズな再生を実現している。
【００１４】
しかし、この技術を適用すると、映像データを蓄積できる十分な大きさの内蔵バッファをディジタルテレビ、ＨＤＤレコーダ双方に用意する必要があり、ハードウェアの複雑化やコストアップを招いていた。
【００１５】
また、特許文献２に記載の技術では、各機器間でコマンド送受信に遅延がある場合や、機器内部において録画コマンドを受けてから実際にＨＤＤに録画が開始されるまでの時間である録画開始における遅延時間については考慮されていない。同様に、機器内部において再生コマンドを受けてから実際に機器からデータを出力するまでの時間である再生開始における遅延時間についても考慮されていない。
【００１６】
また、上記特許文献２に記載の技術を実現するためには、ディジタルテレビに内蔵されたバッファに録画するのか、ＨＤＤに録画するのかを指定するコマンドや、予め互いのバッファサイズを知らせるコマンドなどの専用コマンドを予め策定しなければならない。
【００１７】
しかし、そのような専用コマンドに対応していない汎用的なＨＤＤレコーダを利用するユーザは、たとえ所有するディジタルテレビが専用コマンドに対応していても、所望の制御を実行することができない。
【００１８】
尚、当然のことであるが、常に録画可能な状態で待機するようにＨＤＤレコーダを起動しておくと、その間、待機状態に比べて電力消費が増加してしまうという課題も存在している。
【００１９】
本発明の目的は、簡易な構成でありながら、ユーザが所望するタイミングから映像の録画を可能とし、さらに録画された映像のスムーズな再生も可能とするディジタル放送受信装置を提供することにある。
【課題を解決するための手段】
【００２０】
上記目的を達成するために、請求項１記載のディジタル放送受信装置は、ディジタル放送が受信可能な外部記憶装置と接続され、当該外部記憶装置での録画動作を制御することが可能なディジタル放送受信装置であって、ディジタル放送を受信する受信手段と、前記受信手段で受信したディジタル放送から得られた映像データを録画する記録手段と、前記外部記憶装置に対して録画を指示してから前記外部記憶装置で録画が開始されるまでの遅延時間を計測する計測手段と、前記記録手段と前記外部記憶装置のそれぞれに対して、同一の映像データの録画を指示する制御手段とを有し、前記制御手段は、前記記録手段に録画を指示するとともに、前記外部記憶装置に対して録画を指示してから前記遅延時間が経過した時点で、前記記録手段での録画を停止する制御を実行することを特徴とする。
【００２１】
請求項３記載のディジタル放送受信装置は、映像データを記録可能な外部記憶装置と接続され、当該外部記憶装置での再生動作を制御することが可能なディジタル放送受信装置であって、ディジタル放送を受信する受信手段と、前記受信手段で受信したディジタル放送から得られた映像データを録画する記録手段と、記記録手段で録画する前記映像データを前記外部記憶装置でも録画する指示を行うとともに、前記記録手段と前記外部記憶装置に対して録画した映像データの再生指示を行う制御手段と、前記外部記憶装置に対して映像データの再生を指示してから、前記外部記憶装置で再生された映像データが表示部に表示可能になるまでの遅延時間を計測する計測手段とを有し、前記制御手段は、前記記録手段に録画された映像データの再生指示を行うとともに、前記遅延時間が経過した時点で、前記外部記憶装置に対して前記映像データの再生を指示する制御を実行することを特徴とする。
【００２２】
請求項５記載のディジタル放送受信装置の制御方法は、ディジタル放送が受信可能な外部記憶装置と接続され、当該外部記憶装置での録画動作を制御することが可能なディジタル放送受信装置の制御方法であって、ディジタル放送を受信する受信ステップと、前記受信ステップで受信したディジタル放送から得られた映像データを、前記ディジタル放送受信装置に設けられた記録部に録画する記録ステップと、前記外部記憶装置に対して録画を指示してから前記外部記憶装置で録画が開始されるまでの遅延時間を計測する計測ステップと、前記記録部及び前記外部記憶装置のそれぞれに対して、同一の映像データの録画を指示する制御ステップとを有し、前記制御ステップでは、前記記録部に録画するよう前記記録ステップを制御するとともに、前記外部記憶装置に対して録画を指示してから前記遅延時間が経過した時点で、前記記録部での録画を停止するよう前記記録ステップを制御することを特徴とする。
【００２３】
請求項７記載のディジタル放送受信装置の制御方法は、映像データを記録可能な外部記憶装置と接続され、当該外部記憶装置での再生動作を制御することが可能なディジタル放送受信装置の制御方法であって、ディジタル放送を受信する受信ステップと、前記受信ステップで受信したディジタル放送から得られた映像データを、前記ディジタル放送受信装置に設けられた記録部に録画する記録ステップと、前記記録部に録画する前記映像データを前記外部記憶装置でも録画する指示を行うとともに、前記記録部及び前記外部記憶装置に対して録画した映像データの再生指示を行う制御ステップと、前記外部記憶装置に対して映像データの再生を指示してから、前記外部記憶装置で再生された映像データが表示部に表示可能になるまでの遅延時間を計測する計測ステップとを有し、前記制御ステップでは、前記記録部に録画された映像データの再生指示を行うとともに、前記遅延時間が経過した時点で、前記外部記憶装置に対して前記映像データの再生を指示する制御を実行することを特徴とする。
【発明の効果】
【００２４】
本発明によれば、簡易な構成でありながら、ユーザが所望するタイミングから映像の録画を可能とし、さらに録画された映像のスムーズな再生も可能とするディジタル放送受信装置及びディジタル放送受信装置の制御方法を提供することができる。
【発明を実施するための最良の形態】
【００２５】
以下、本発明の実施の形態を図面を参照しながら詳細に説明する。
【００２６】
（第１の実施の形態）
図１は、ディジタル放送受信テレビ１００とＨＤＤレコーダ２００をＨＤＭＩケーブル３００で接続したディジタル放送受信システムの第１の実施の形態の概略ブロック構成図である。
【００２７】
まず、ディジタル放送受信装置としてのディジタル放送受信テレビ１００の構成について説明する。アンテナ１０は、地上波ディジタル放送や衛星ディジタル放送を受けるものであり、放送波をディジタルチューナ１１へ送る。
【００２８】
ディジタルチューナ１１は、アンテナ１０より受け取った放送波に対して、ユーザが選択した物理チャンネルに応じた周波数帯域選択を行う。そして、その周波数帯域に対応したＯＦＤＭ（Orthogonal Frequency Division Multiplexing）ベースバンド信号を抽出する。そして、ベースバンド信号を復調することで、ＭＰＥＧ２−ＴＳ（Transport Stream）を生成する。物理チャンネルの切り替えはシステム制御部１６からの指示により行う。
【００２９】
映像デコーダ１２は、ディジタルチューナ１１より受け取ったＭＰＥＧ２−ＴＳのデコード（復号）処理を行い、ディジタルビデオ信号を取得し、表示部１３にこれを出力する。
【００３０】
表示部１３は、Ｄ／Ａコンバータとモニター制御回路、モニターから構成される。表示部１３は、ディジタルビデオ信号を受け取り、モニター画面に信号表示を行う。
【００３１】
一時記憶メモリインタフェース１４は、システム制御部１６からの指示により、ディジタルチューナ１１より出力されたＭＰＥＧ２−ＴＳを、一時記憶メモリ１５に蓄積する制御を行う。本発明における記録手段は、一時記憶メモリインタフェース１４と一時記憶メモリ１５によって構成されているが、データの記録が可能な記録部とその記録部にデータを記録する制御を実行する実行部であれば、どのような構成でも構わない。
【００３２】
また、システム制御部１６からの指示により、一時記憶メモリ１５に蓄積されたＭＰＥＧ２−ＴＳを抽出する。また、一時記憶メモリインタフェース１４は、映像ストリームのみではなく、システム制御部１６からの指示によって、一時記憶メモリ１５内に記憶された録画番組管理情報、レコーダ管理情報の読み書きも行う。録画番組管理情報及びレコーダ管理情報の詳細については後述する。
【００３３】
記録部としての一時記憶メモリ１５は、ディジタルチューナ１１から出力されるＭＰＥＧ２−ＴＳをシステム制御部１６の指示に従い、一時記憶メモリインタフェース１４を経由して蓄積（録画）する。また、一時記憶メモリ１５内には、以降で詳細を述べる録画番組管理情報やレコーダ管理情報も格納される。
【００３４】
システム制御部１６は、ＣＰＵ、プログラムが格納されたＲＯＭ、プログラムワークＲＡＭから構成されており、ディジタル放送受信テレビ１００内部の全体制御を行う。録画時には、ＨＤＤレコーダ２００の起動コマンドや録画コマンド、再生コマンドの発行を行う。即ち、システム制御部１６はＨＤＤレコーダ２００の各種動作を制御することが可能である。
【００３５】
また、システム制御部１６は、録画時にＨＤＤレコーダ２００が待機状態の場合、一時記憶メモリインタフェース１４へ指示を行い、一時記憶メモリ１５へ番組を蓄積させる。
【００３６】
システム制御部１６は一時記憶メモリ１５への録画停止コマンドの発行も行う。録画停止コマンドの発行は、遅延計測部１７によって計測された録画開始遅延時間を使用し、ＨＤＤレコーダ２００の録画開始と一時記憶メモリ１５へのＭＰＥＧ２−ＴＳの録画停止が同期するようにタイミングを制御する。
【００３７】
同様に再生に関しても、システム制御部１６はＨＤＤレコーダ２００の制御を行う。ＨＤＤレコーダ２００に蓄積されたＭＰＥＧ２−ＴＳの再生においても、システム制御部１６は遅延計測部１７によって計測された再生開始遅延時間を使用する。具体的には、システム制御部１６は、一時記憶メモリ１５内のＭＰＥＧ２−ＴＳが再生され、その再生が完了するのにあわせて、ＨＤＤレコーダ２００から送られるストリームを受け取って表示部１３に出力するようにシームレスに切り替えを行う。
【００３８】
遅延計測部１７は、システム制御部１６からの命令により録画開始遅延時間と再生開始遅延時間の計測を行う。録画開始遅延時間の計測は、一時記憶メモリ１５への録画指示とＨＤＤレコーダ２００への録画指示を同時に行い、再生された映像を比較することによって、ＨＤＤレコーダ２００に録画指示を発行してから実際に録画開始されるまでの時間を計測することで行う。再生開始遅延時間の計測は、ＨＤＤレコーダ２００に再生を指示するコマンドを送ってから、ＨＤＤレコーダ２００が再生するストリームをディジタル放送受信テレビ１００が受け取るまでの時間を計測することで行う。尚、遅延計測部１７における遅延時間の計測処理の詳細は後述する。
【００３９】
データ送受信部１８は、ＨＤＭＩインタフェースから構成されている。ＨＤＭＩは、そのインタフェース内にディジタル映像だけではなく、機器の制御信号とそれを用いた機器間制御プロトコルを送受信するＣＥＣ（Consumer Electronics Control）ラインを実装している。このＣＥＣラインを用いて、データ送受信部１８は接続先のＨＤＤレコーダ２００と各種データの送受信や録画動作の制御や再生動作の制御を行う。
【００４０】
次に、外部記憶装置としてのＨＤＤレコーダ２００の構成を説明する。ＨＤＤレコーダ２００はディジタル放送を受信可能な構成を有する。
【００４１】
アンテナ２０、ディジタルチューナ２１は、上述の受信アンテナ１０、ディジタルチューナ１１と同様であるので説明を省略する。
【００４２】
ＨＤＤインタフェース２２は、システム制御部２５からの指示により、ディジタルチューナ２１より出力されたＭＰＥＧ２−ＴＳを、ＨＤＤ２３に蓄積する制御を行う。また、システム制御部２５からの指示により、ＨＤＤ２３に蓄積されたＭＰＥＧ２−ＴＳを抽出する。
【００４３】
また、ＨＤＤインタフェース２２は、ＭＰＥＧ２−ＴＳのみではなく、システム制御部２５からの指示によって、ＨＤＤ２３内に記憶された録画番組管理情報の読み書きも行う。尚、ＨＤＤレコーダ２００において録画される番組を管理する録画番組管理情報は、必ずしもＨＤＤ２３内に記憶する必要は無い。
【００４４】
ＨＤＤ２３は、ディジタルチューナ２１から出力されるＭＰＥＧ２−ＴＳをシステム制御部２５の指示に従い、ＨＤＤインタフェース２２を経由して蓄積する。また、ＨＤＤ２３は、ＨＤＤ２３内にＭＰＥＧ２−ＴＳとして蓄積された番組の録画番組管理情報も、システム制御部２５の指示に従い、記憶する。
【００４５】
映像デコーダ２４は、ディジタルチューナ２１より受け取ったＭＰＥＧ２−ＴＳの復号処理を行い、ディジタルビデオ信号を、共通バス２７に接続されたデータ送受信部２６に出力する。
【００４６】
システム制御部２５は、ＣＰＵ、プログラムが格納されたＲＯＭ、プログラムワークＲＡＭから構成されており、ＨＤＤレコーダ２００内部の全体制御を行う。録画時には、システム制御部２５はＨＤＤインタフェース２２へ録画の指示を発行し、ＨＤＤ２３にＭＰＥＧ２−ＴＳを蓄積させる。
【００４７】
同様に再生に関しても、システム制御部２５はＨＤＤインタフェース２２へ指示を発行する。そして、ＨＤＤ２３内のＭＰＥＧ２−ＴＳを抽出する。抽出されたＭＰＥＧ２−ＴＳは映像デコーダ２４によって復号され、データ送受信部２６を経由してＨＤＭＩケーブル３００の接続先機器に送られる。
【００４８】
データ送受信部２６は、データ送受信部１８と同様に、ＨＤＭＩインタフェースから構成されており、映像とコマンドの通信を担う。
【００４９】
次に、図１におけるディジタル放送受信テレビ１００がＨＤＤレコーダ２００へ録画を指示する制御について図２を用いて詳細に説明する。合わせて、録画開始遅延時間Ｔｒの計測方法についても図３を用いて述べる。
【００５０】
図２は、図１におけるディジタル放送受信テレビ１００がＨＤＤレコーダ２００へ録画を指示する録画処理の手順を示すフローチャートである。
【００５１】
本処理は、図１におけるシステム制御部１６によって実行される。
【００５２】
ユーザがテレビの電源を入れることにより、ディジタル放送受信テレビ１００は電源がオン状態となる（ステップＳ１１）。電源がオン状態となることにより、ユーザは番組の視聴を開始することができる。つまり、アンテナ１０より入力された放送波がディジタルチューナ１１を経由し、復調されたＭＰＥＧ２−ＴＳが映像デコーダ１２に入力され、ディジタルビデオ信号が表示部１３に送られる。このとき、ＨＤＤレコーダ２００は待機状態のままである。
【００５３】
ユーザが図示しないリモコン等を使って、ディジタル放送受信テレビ１００に録画指示を入力する。ユーザが入力する録画指示は、ディジタル放送受信テレビ１００がＨＤＤレコーダ２００を制御して、ＨＤＤレコーダ２００にユーザが指定した番組を録画するための指示である。システム制御部１６はユーザによる録画指示を受ける。（ステップＳ１２）。
【００５４】
次に、システム制御部１６は、一時記憶メモリインタフェース１４に対して、ディジタルチューナ１１から出力される番組映像データとしてのＭＰＥＧ２−ＴＳを一時記憶メモリ１５に蓄積するようコマンドを発行する（ステップＳ１３）。
【００５５】
このとき、一時記憶メモリ１５には、録画番組管理情報も合わせて記憶する。録画番組管理情報は、一時記憶メモリ１５やＨＤＤレコーダ２００のＨＤＤ２３などに蓄積される番組を管理するための情報である。録画番組管理情報の例としては、他の録画番組と区別するための録画番組識別ＩＤ、番組タイトル、チャンネル、録画形態、録画時間等がある。これらの情報は番組再生時に主に利用するためのものである。
【００５６】
ここで、録画形態とは、番組を録画（蓄積）した装置（記憶部）を特定するものである。例えば、ある番組がＨＤＤレコーダ２００のＨＤＤ２３のみに蓄積されているのであれば、録画形態はＨＤＤレコーダ２００のＨＤＤ２３にのみ蓄積されていることを示す情報となる。また、ある番組がＨＤＤレコーダ２００のＨＤＤ２３とテレビ１００の一時記憶メモリ１５の双方に蓄積されているのであれば、録画形態はＨＤＤ２３と一時記憶メモリ１５の双方に蓄積されていることを示す情報となる。
【００５７】
録画時間は、ＨＤＤ２３や一時記憶メモリ１５に蓄積された番組の録画時間を示す情報である。
【００５８】
本実施の形態では、ＨＤＤレコーダ２００で番組の録画が開始できるまでの間は、一時記憶メモリ１５に録画番組のＭＰＥＧ２−ＴＳを蓄積することになる。
【００５９】
次に、システム制御部１６は、レコーダ管理情報に含まれる、機器識別ＩＤに対応する録画開始遅延時間Ｔｒを一時記憶メモリ１５より取得する（ステップＳ１４）。
【００６０】
続いて、システム制御部１６はＨＤＤレコーダ２００が起動済み、即ち、録画可能状態であるかを判定する（ステップＳ１５）。この判定は、ＨＤＤレコーダ２００の状態をコマンドで問い合わせ、その応答に応じてシステム制御部１６が判定することが可能である。
【００６１】
ステップＳ１５の判定の結果、ＨＤＤレコーダ２００が待機状態である場合は、ＨＤＤレコーダ２００への録画コマンドの発行に先立って、システム制御部１６はＨＤＤレコーダ２００を起動させる制御を実行する（ステップＳ１６）。つまり、システム制御部１６はデータ送受信部１８を介してＨＤＤレコーダ２００に対する起動コマンドを発行する。
【００６２】
続いて、システム制御部１６は、ＨＤＤレコーダ２００の状態を監視し、ＨＤＤレコーダ２００が起動し、録画可能な状態に遷移したかどうかを判定する（ステップＳ１７）。録画可能な状態になった時点でステップＳ１８へ移行する。
【００６３】
尚、ステップＳ１５の判定の結果、ＨＤＤレコーダ２００が起動済み、即ち、録画可能状態である場合は、ステップＳ１６とステップＳ１７をスルーして、ステップＳ１８へ移行する。
【００６４】
システム制御部１６は、ＨＤＤレコーダ２００での番組の録画を開始するため、録画開始コマンドをＨＤＤレコーダ２３のシステム制御部２５に発行すると同時に、不図示のタイマーを用いて録画開始コマンド発行からの時間の計測を始める（ステップＳ１８）。
【００６５】
システム制御部１６は、録画開始コマンド発行後から、ステップＳ１４で取得した録画開始遅延時間Ｔｒに相当する時間が経過するか否かを判定する（ステップＳ１９）。システム制御部１６が録画開始コマンド発行からＴｒ時間経過したと判断すると、処理をステップＳ２０に移行させる。その後、システム制御部１６は、一時記憶メモリインタフェース１４に対して一時記憶メモリ１５に対する番組の録画を停止させる録画停止コマンドを発行する（ステップＳ２０）。そして、本処理を終了する。尚、ステップＳ１８でシステム制御部１６がＨＤＤレコーダ２００へ録画開始コマンドを発行することで、ＨＤＤレコーダ２００では、システム制御部２５が番組をＨＤＤ２３に蓄積する処理を実行することになる。尚、録画開始コマンドとしては、録画する番組に関するチャンネル情報や番組を特定するための情報、放送時間などの情報も含まれる。また、ステップＳ２０においてシステム制御部１６が一時記憶メモリ１５での番組録画を停止させる処理を実行しても、特に指示が無い限り、ＨＤＤレコーダ２００では番組の録画を継続する。
【００６６】
従って、録画番組はディジタル放送受信テレビ１００とＨＤＤレコーダ２００に分離された状態で蓄積される。
【００６７】
次に録画開始遅延時間であるＴｒの計測方法を、図３を用いて詳細に説明する。
【００６８】
図３は、図１におけるディジタル放送受信テレビ１００によって実行される録画開始遅延時間の計測処理の手順を示すフローチャートである。本処理は、システム制御部１６の制御に基づき、遅延計測部１７によって実行される。録画開始遅延時間Ｔｒは、一時記憶メモリ１５への録画開始指示と同時にＨＤＤレコーダ２００での録画開始を行った場合に、一時記憶メモリ１５で録画が開始される時間と、ＨＤＤレコーダ２００で録画が開始される時間の差分に相当する時間情報である。
【００６９】
本実施の形態では、ユーザがディジタル放送受信テレビ１００、ＨＤＤレコーダ２００を使用していない空き時間を利用し、システム制御部１６が自動的に遅延時間を計測するとする。計測した遅延時間は、ディジタル放送受信テレビ１００とＨＤＤレコーダ２００の組み合わせにより決まる値である。
【００７０】
よって、この組み合わせが変更しない限り計測は一度でよい。計測後、ディジタル放送受信テレビ１００は、ＨＤＤレコーダ２００の機器識別ＩＤと遅延時間を一時記憶メモリ１５に、レコーダ管理情報として格納する。レコーダ管理情報には、ディジタル放送受信テレビ１００に接続されているＨＤＤレコーダ２００の機器を特定する機器識別ＩＤが管理される。そして、レコーダの録画開始遅延時間Ｔｒと、再生開始遅延時間Ｔｐが機器識別ＩＤに対応づけられている。機器識別ＩＤはＣＥＣコマンドを用いて自動的に取得するものであっても良いし、ユーザによる手動設定などで入力されるものであっても良い。
【００７１】
図３において、まず、システム制御部１６は、ＨＤＤレコーダ２００が起動しているか否かを判定する（ステップＳ３１）。ＨＤＤレコーダ２００が待機状態である場合は、システム制御部１６が起動コマンドをＨＤＤレコーダ２００へ発行する。
【００７２】
次に、ＨＤＤレコーダ２００が起動したならば、システム制御部１６は、一時記憶メモリ１５への録画開始と同時に、ＨＤＤレコーダ２００へ録画開始コマンドを発行する（ステップＳ３２）。尚、ここでは任意のチャンネルで放送されている番組を録画するように制御すれば良い。
【００７３】
システム制御部１６から発行された録画開始コマンドを受けて、ＨＤＤレコーダ２００のシステム制御部２５はＨＤＤ２３へ録画開始コマンドで指示されたチャンネルの録画を開始する。
【００７４】
ステップＳ３２の録画開始から所定の時間経過後、遅延計測部１７は、ＨＤＤレコーダ２００の状態を確認する。これはＨＤＤレコーダ２００で録画が開始されたか否かを認識するために行われる。システム制御部１６は、ＨＤＤレコーダ２００で録画が開始された後、ＨＤＤレコーダ２００に対して録画停止を指示するための録画停止コマンドを発行し、録画を止める。また、ディジタル放送受信テレビ１００の一時記憶メモリ１５に行っていた録画も停止する制御を行う（ステップＳ３３）。
【００７５】
次にシステム制御部１６は、ＨＤＤレコーダ２００に対して、上記の処理で録画したＭＰＥＧ２−ＴＳを再生するための再生開始コマンドを発行する。再生開始コマンドを受けたＨＤＤレコーダ２００のシステム制御部２５は、ＨＤＤ２３に蓄積されたＴＳを抽出してデコードし、ＨＤＭＩケーブル３００を介してディジタル放送受信テレビ１００に出力する。システム制御部１６は、ＨＤＤレコーダ２００から出力された映像データの少なくとも先頭の先頭映像フレームデータを、一時記憶メモリ１５に記憶する（ステップＳ３４）。
【００７６】
続いて、システム制御部１６は、ＨＤＤレコーダ２００から受け取った最初の映像フレームデータが、ステップＳ３２で行われた指示によって一時記憶メモリ１５に録画されたＭＰＥＧ２−ＴＳをデコードして得られた映像データに含まれるどの映像フレームデータに対応するか、フレーム相関を計算することにより検出を行う。同一フレームが一時記憶メモリ１５に録画された映像から検出された場合、システム制御部１６は、一時記憶メモリ１５に録画された映像から検出されたそのフレームの属性情報であるタイムスタンプ情報を一時記憶メモリ１５に記憶する（ステップＳ３５）。
【００７７】
ステップＳ３５の処理は、一時記憶メモリ１５に蓄積された映像と、ＨＤＤ２３に蓄積された映像のずれから、ＨＤＤ２３が録画開始指示の発行からどの程度の時間経過後に録画が行われるかを測定するためのものである。この経過時間が録画開始遅延時間Ｔｒに相当する。従って、録画開始遅延時間Ｔｒは、一時記憶メモリ１５に番組を蓄積するのに最低限必要な時間である。
【００７８】
一時記憶メモリ１５とＨＤＤレコーダ２００に同時に録画を指示しても、録画開始遅延時間が生じるのは、システム制御部１６がＨＤＤレコーダ２００に対して録画開始コマンドを発行してから、実際に映像がＨＤＤ２３に録画されるまでタイムラグが発生するからである。このタイムラグの要因としては、ＨＤＭＩケーブル３００でのコマンド伝送に要する時間やＨＤＤレコーダ２００内部での制御や動作に要する時間などが考えられる。
【００７９】
上述したタイムラグによって、一時記憶メモリ１５とＨＤＤ２３それぞれに録画開始コマンドを同時に発行した場合、一般的には一時記憶メモリ１５での蓄積開始が早い。従って、同じ番組を同じタイミングで録画する指示を発行しても、一時記憶メモリ１５の方が先に録画を開始し、遅れてＨＤＤ２３が番組の録画を開始することになる。
【００８０】
本実施の形態では、一時記憶メモリ１５及びＨＤＤ２３に蓄積するデータ形式はＭＰＥＧ２−ＴＳとしている。ＨＤＤレコーダ２００から出力されるデータはＨＤＤレコーダ２００でＴＳをデコードしたフレームデータである。また、一時記憶メモリ１５に蓄積されたＭＰＥＧ２−ＴＳも映像デコーダ１２でフレームデータにデコードされる。ＨＤＤレコーダ２００から出力されたフレームデータを取得するとともに、一時記憶メモリ１５に蓄積されたＴＳをフレームデータにデコードすることで、ほぼ同時期に同じチャンネルを録画した２つのフレームデータを得ることができる。
【００８１】
上述したように、ＨＤＤ２３の方が一時記憶メモリ１５の録画開始よりも遅く録画開始されるため、ＨＤＤ２３が録画した映像における最も早いフレームデータは、一時記憶メモリ１５に録画された映像にも含まれている。そこで、ＨＤＤ２３が録画した映像における最も早いフレームデータと同一のフレームデータを一時記憶メモリ１５に録画された映像の中から特定する。そして、特定されたフレームにおけるタイムスタンプ情報を、一時記憶メモリ１５に蓄積されたＭＰＥＧ２−ＴＳから取得する（ステップＳ３６）。
【００８２】
録画開始遅延時間Ｔｒを計算するため、システム制御部１６は一時記憶メモリ１５に録画したＭＰＥＧ２−ＴＳの最初のフレームのタイムスタンプ情報と、ＨＤＤ２３に録画したＭＰＥＧ２−ＴＳの先頭フレームと合致したタイムスタンプ情報とを用いて、時間差を計算する（ステップＳ３７）。上記２つのタイムスタンプの差分を計算することにより、録画開始遅延時間Ｔｒを得ることができる。算出された録画開始遅延時間Ｔｒは、レコーダ管理情報に含まれる機器識別ＩＤに対応させて記憶する（ステップＳ３８）。そして、本処理を終了する。
【００８３】
尚、上記の遅延時間算出処理では一時記憶メモリ１５に録画したＴＳの映像フレームにかかるタイムスタンプ情報を用いたが、ＨＤＤレコーダ２００に対して録画開始コマンドを発行した時刻を用いても良い。
【００８４】
ディジタル放送受信テレビ１００が一時記憶メモリ１５に番組を録画する録画時間は、ＨＤＤレコーダ２００が一時記憶メモリ１５への録画と同時に録画開始コマンドを受け取れる場合、即ち、起動済みの場合はＴｒ時間である。また、ＨＤＤレコーダ２００の起動処理が必要な場合は、Ｔｒ時間に加え、ＨＤＤレコーダ２００が起動するまでに要する時間分の録画が必要となる。
【００８５】
次に、図１におけるディジタル放送受信テレビ１００がＨＤＤレコーダ２００へ録画を行った番組に対する、再生動作について図４に示す再生動作のフローチャートを用いて、詳細に説明をする。
【００８６】
図４は、図１におけるディジタル放送受信テレビ１００によって実行される番組再生処理の手順を示すフローチャートである。本処理は、図１におけるシステム制御部１６によって実行される。
【００８７】
ディジタル放送受信テレビ１００が通常視聴状態であり、かつＨＤＤレコーダ２００が起動している状態であるとする。但し、ＨＤＤレコーダ２００は待機状態からの動作であっても構わない。
【００８８】
ユーザが図示しないリモコン等を用いて、録画されたすべての録画番組情報が閲覧できる録画番組リストの表示を要求する。この要求に従い、システム制御部１６が一時記憶メモリ１５から録画番組管理情報を取得する。上述したように、録画番組管理情報は、一時記憶メモリ１５やＨＤＤレコーダ２００のＨＤＤ２３に蓄積されている番組の情報を管理するものである。上述した録画処理では、ディジタル放送受信テレビ１００がＨＤＤレコーダ２００に録画指示を発行するため、録画番組に関する情報を把握することができる。また、ＨＤＤレコーダ２００で独自に録画された番組に関する情報についても、ＨＤＭＩのＣＥＣコマンドなどを利用して、ＨＤＤレコーダ２００から取得することができる。
【００８９】
システム制御部１６は、一時記憶メモリ１５から得た録画番組管理情報より、録画番組リストを作成する。この録画番組リストが、表示部１３に送られ、モニター画面に表示される（ステップＳ４１）。ユーザはその録画番組リストから再生したい番組を図示しないリモコン等を使用し、選択する。その結果、ユーザによって選択された番組を特定するための情報がシステム制御部１６に入力される（ステップＳ４２）。
【００９０】
次に、システム制御部１６はユーザが選択した番組が一時記憶メモリ１５にも録画されているか否かを、上述した録画番組管理情報にて管理されている録画形態に関する情報を用いて判定する（ステップＳ４３）。
【００９１】
ステップＳ４３において、ユーザが選択した番組が一時記憶メモリ１５に録画されておらず、ＨＤＤレコーダ２００のみに録画されている場合は、ステップＳ４８へ処理を移行する。ユーザが選択した番組が一時記憶メモリ１５にも録画されている場合は、一時記憶メモリ１５に蓄積された番組を再生させるために、一時記憶メモリインタフェース１４に再生指示を発行する。
【００９２】
システム制御部１６は、一時記憶メモリ１５に蓄積されたＭＰＥＧ２−ＴＳを映像デコーダ１２を介して表示部１３へと出力する（ステップＳ４４）。これにより、ユーザが選択した番組の再生表示が開始される。
【００９３】
その後、システム制御部１６は、一時記憶メモリ１５に蓄積された番組の映像データから、ＨＤＤレコーダ２００に蓄積された映像データの出力に切り替える必要がある。そのため、システム制御部１６は、一時記憶メモリ１５に蓄積された番組の再生が終わるＴｐ時間前に、ＨＤＤレコーダ２００に再生開始コマンドを発行する（ステップＳ４５）。再生開始コマンドには、ＨＤＤレコーダ２００がＨＤＤ２３に蓄積された番組の中から、再生する番組を特定するための情報が含まれる。
【００９４】
ここで、再生開始遅延時間Ｔｐは、システム制御部１６からＨＤＤレコーダ２００に対して再生開始コマンドを発行してから、ディジタル放送受信テレビ１００にＨＤＤ２３から出力された映像データが到着し、表示部１３に出力するまでの時間である。再生開始時間Ｔｐの算出方法については後述する。
【００９５】
一時記憶メモリ１５に蓄積された番組の映像データの再生が終わると同時に、ＨＤＤレコーダ２００から送信されたデータへ切り替えることによって、スムーズな映像再生を行うことができる。
【００９６】
データ送受信部１８は、再生開始コマンドを発行してから再生開始遅延時間Ｔｐ後、ＨＤＤレコーダ２００から一時記憶メモリ１５に蓄積された映像データの続きの映像データを受け取る（ステップＳ４６）。システム制御部１６は、一時記憶メモリ１５に蓄積された番組の映像データの再生が終了するに伴い、ＨＤＤレコーダ２００から受け取った映像データを表示部１３に出力する（ステップＳ４７）。
【００９７】
ステップＳ４３において、ユーザが選択した番組が一時記憶メモリ１５に蓄積されているものでは無い場合は、システム制御部１６がＨＤＤレコーダ２００に対して、再生開始コマンドを発行する（ステップＳ４８）。そして、システム制御部１６は、ＨＤＤレコーダ２００から出力された映像データを受け取り、表示部１３に出力する（ステップＳ４９）。
【００９８】
以上が再生動作の説明である。上記説明では、ＨＤＤレコーダ２００は起動しているとした。しかし、ユーザが録画番組の再生を望んだ場合に、ＨＤＤレコーダ２００が起動しているとは限らない。そこで、上記処理フローにおいて、再生処理が開始された時点でシステム制御部１６がＨＤＤレコーダ２００を起動させるコマンドを発行することが考えられる。
【００９９】
これにより、ＨＤＤレコーダ２００が起動する前に一時記憶メモリ１５に蓄積された番組映像データの再生が終わってしまうことを防ぐことができる。
【０１００】
次に、再生開始遅延時間Ｔｐの計測方法を、図５を用いて詳細に説明する。
【０１０１】
図５は、図１におけるディジタル放送受信テレビ１００によって実行される再生開始遅延時間を計測する処理の手順を示すフローチャートである。
【０１０２】
本処理は、システム制御部１６の制御に基づき、遅延計測部１７によって実行される。尚、再生開始遅延時間Ｔｐの算出は、ユーザがディジタル放送受信テレビ１００、ＨＤＤレコーダ２００を使用していない空き時間を利用するものとする。
【０１０３】
図５において、まず、システム制御部１６は、ＨＤＤレコーダ２００が起動しているか否かを判定する（ステップＳ６１）。ＨＤＤレコーダ２００が待機状態である場合は、システム制御部１６が起動を指示するコマンドをＨＤＤレコーダ２００へ発行する。
【０１０４】
次に、システム制御部１６は、ＨＤＤレコーダ２００の起動後、ＨＤＤレコーダ２００へ再生開始コマンドを発行する。再生開始コマンドでは、ＨＤＤ２３に蓄積されている任意の番組にかかるＭＰＥＧ２−ＴＳを指定する。このとき、遅延計測部１７は、再生開始コマンドの発行を行った再生開始指示時刻Ｔｓを記憶する（ステップＳ６２）。再生開始指示時刻Ｔｓを記憶するのは、一時記憶メモリ１５の所定の記憶領域であるが、遅延計測部１７に設けられたメモリなどに記憶してもよい。
【０１０５】
ステップＳ６２でシステム制御部１６から発行された再生開始コマンドを受け取ったＨＤＤレコーダ２００は、ＨＤＤ２３に蓄積されている任意の番組のＭＰＥＧ２−ＴＳを出力し、映像デコーダ２４を介して映像データの再生を開始する。システム制御部１６は、ＨＤＤレコーダ２００が再生した映像データをＨＤＭＩケーブル３００を介して入力されてくるか否かを判定する（ステップＳ６３）。
【０１０６】
システム制御部１６はＨＤＤレコーダ２００が再生した映像データを受信した場合、表示部１３に出力する処理を実行する。
【０１０７】
続いて、遅延計測部１７は、ＨＤＤレコーダ２００が再生した映像データが表示部１３に出力された映像データ出力時刻Ｔｏを計測する（ステップＳ６４）。その後、先に記憶した再生開始指示時刻Ｔｓと映像データ出力時刻Ｔｏの差分を計算することにより、再生開始遅延時間Ｔｐ＝Ｔｏ−Ｔｓを算出する（ステップＳ６５）。これらの時刻情報から算出された再生開始遅延時間Ｔｐは、録画開始遅延時間Ｔｒと同様、レコーダ管理情報に含まれる機器識別ＩＤに対応して記憶しておく（ステップＳ６６）。そして、本処理を終了する。
【０１０８】
再生開始遅延時間Ｔｐは、システム制御部１６がＨＤＤレコーダ２００に所定の番組の映像データの再生を指示してから、実際に映像データの最初のフレームが表示部１３に表示可能となるまでの時間に相当する。従って、一時記憶メモリ１５に蓄積された映像データの最後のフレームの出力に続いて、ＨＤＤ２３に蓄積された続きの映像データをシームレスに再生するためには、この再生開始遅延時間Ｔｐを踏まえてＨＤＤレコーダ２００に再生開始コマンドを発行することになる。
【０１０９】
以上のように、本実施の形態によれば、簡易な構成でありながら、ユーザが所望するタイミングから映像の録画を可能とし、さらに録画された映像のスムーズな再生も可能とするディジタル放送受信装置を提供することができる。
【０１１０】
つまり、番組などの映像の録画を行う場合に、ＨＤＤレコーダ２００が録画開始までに要する録画開始遅延時間分をディジタル放送受信テレビ１００に設けた一時記憶メモリ１５に蓄積する。遅延時間経過後はＨＤＤレコーダ２００のＨＤＤ２３に映像を蓄積し、一時記憶メモリ１５への蓄積は停止させる。これにより、ディジタル放送受信テレビ１００とＨＤＤレコーダ２００に同じ映像を重複して保持する必要がなくなるので、ディジタル放送受信テレビ１００に必要以上に大きなメモリを搭載する必要がなくなる。
【０１１１】
また、ディジタル放送受信テレビ１００が再生開始コマンドを発行してから、実際にＨＤＤレコーダ２００が映像データを出力し、表示部に出力するまでに要する再生開始遅延時間を計測しておく。これにより、ディジタル放送受信テレビ１００とＨＤＤレコーダ２００にそれぞれ分割して蓄積された映像データを再生する場合にも、再生開始遅延時間分を考慮して再生開始コマンドをシステム制御部１６がＨＤＤレコーダ２００に発行することで、映像データをシームレスかつスムーズに再生することが可能となる。
【０１１２】
従って、映像データの再生時に、同期を取るためのバッファを設ける必要がなくなり、ディジタル放送受信テレビ１００及びＨＤＤレコーダ２００の構成を簡易化することが可能となる。
【０１１３】
本実施の形態は、これまで述べてきた内容に限定されるものではなく、かつこれまで述べてきた内容を逸脱しない限りにおいて、種々のバリエーションを考えることができる。
【０１１４】
例えば、録画開始遅延時間Ｔｒを算出する際、図３のステップＳ３５にてＨＤＤレコーダ２００から送信された映像データのフレーム相関を利用して、同一フレームを特定した。しかし、ＨＤＤレコーダ２００からタイムスタンプ情報を受信することができれば、フレーム相関を利用することなく、録画開始遅延時間Ｔｒを算出することもできる。
【０１１５】
また、遅延計測部１７は、システム制御部１６とは別の構成要素としたが、これをシステム制御部１６内のＣＰＵの機能として、実装してもよい。
【０１１６】
（その他の実施の形態）
図６は、図１のディジタル放送受信テレビとＨＤＤレコーダをＨＤＭＩケーブルで接続したディジタル放送受信システムのその他の実施の形態の概略ブロック構成図である。
【０１１７】
第２の実施の形態は、複数台のＨＤＤレコーダを接続した例である。
【０１１８】
図６において、ディジタル放送受信テレビ１００は、ＨＤＭＩケーブル３００、４００により２つのＨＤＤレコーダ２００（２００−１、２００−２）にそれぞれ接続された構成となっており、それ以外の構成は、先に図１の第１の実施の形態の構成と同じなので説明を省略する。
【０１１９】
ＨＤＤレコーダ２００が複数台、ディジタル放送受信テレビ１００に接続された場合も、録画ステップと再生ステップは同じであるが、それぞれのＨＤＤレコーダ２００の録画開始遅延時間Ｔｒは異なる値を取る可能性がある。また、再生開始遅延時間Ｔｐに関しても異なる値を取る可能性がある。
【０１２０】
このため、どのＨＤＤレコーダ２００に録画をしようとしているか、またはどのＨＤＤレコーダ２００に対して再生を行おうとしているかを認識し、それぞれにあった録画開始遅延時間、再生開始遅延時間をシステム制御部１６が選択すれば、第１の実施の形態と同様に録画、再生を実現することができる。
【０１２１】
従って、上述した第１の実施の形態で説明した、録画開始遅延時間の算出と、再生開始遅延時間の算出を、接続されたＨＤＤレコーダ２００−１、２００−２それぞれに対して行う必要がある。算出したこれらの遅延時間をディジタル放送受信テレビ１００のレコーダ管理情報に対応付けて記憶することで、レコーダ毎に適した番組の録画及び再生処理を実行することが可能となる。
【図面の簡単な説明】
【０１２２】
【図１】図１のディジタル放送受信テレビとＨＤＤレコーダをＨＤＭＩケーブルで接続したディジタル放送受信システムの第１の実施の形態の概略ブロック構成図である。
【図２】図１におけるディジタル放送受信テレビがＨＤＤレコーダへ録画を行う録画処理の手順を示すフローチャートである。
【図３】図１におけるディジタル放送受信テレビによって実行される録画開始遅延時間の計測処理の手順を示すフローチャートである。
【図４】図１におけるディジタル放送受信テレビによって実行される番組再生処理の手順を示すフローチャートである。
【図５】図１におけるディジタル放送受信テレビによって実行される再生開始遅延時間の計測処理の手順を示すフローチャートである。
【図６】図１のディジタル放送受信テレビとＨＤＤレコーダをＨＤＭＩケーブルで接続したディジタル放送受信システムのその他の実施の形態の概略ブロック構成図である。
【符号の説明】
【０１２３】
１０  受信アンテナ
１１  ディジタルチューナ
１２  映像デコーダ
１３  表示部
１４  一時記憶メモリインタフェース
１５  一時記憶メモリ
１６  システム制御部
１７  遅延計測部
１８  データ送受信部
１９  共通バス
２０  受信アンテナ
２１  ディジタルチューナ
２２  ＨＤＤインタフェース
２３  ＨＤＤ
２４  映像デコーダ
２５  システム制御部
２６  データ送受信部
２７  共通バス
１００  ディジタル放送受信テレビ
２００  ＨＤＤレコーダ
３００、４００  ＨＤＭＩケーブル
【図１】
2008227938.tif 000003
【図２】
2008227938.tif 000004
【図３】
2008227938.tif 000005
【図４】
2008227938.tif 000006
【図５】
2008227938.tif 000007
【図６】
2008227938.tif 000008